(57)【要約】【課題】モニタ上の限られた表示領域を有効に利用して電子番組表をモニタに表示する。【解決手段】本発明は、デジタル放送信号から電子番組表データを生成し電子番組表をモニタに表示させるデジタル放送受信装置である。この装置は、放送時間帯と放送チャンネルによって区画化した電子番組表データを生成するＯＳＤ処理部１８と、電子番組表データの所定領域に同一放送番組が存するか否かを判定するとともに前記所定領域をモニタ３０に表示させるＣＰＵ２３と、を備える。ＯＳＤ処理部１８は、同一放送番組を有する各放送チャンネル分の区画を一放送チャンネル分の区画に統合する処理を行う。そして、ＯＳＤ処理部１８による統合処理が可能な区画が前記所定領域に存する場合には、この区画はＯＳＤ処理部１８により統合された状態でモニタ３０に表示される。【選択図】　　　　　　　図１
2004135166.tif 000002
【特許請求の範囲】
【請求項１】
番組情報を含むデジタル放送信号から電子番組表データを生成し、この電子番組表データの一部をモニタに表示させるデジタル放送受信装置において、
音声データ、映像データ及び番組情報等が多重化されて送信されたデジタル放送信号を受信する受信手段と、
前記番組情報に基づき、放送時間帯と放送チャンネルとで区画化した表の各区画に放送番組を割り当てた電子番組表データを生成する生成手段と、
前記電子番組表データの中から前記モニタに表示させる放送時間帯を選択する選択手段と、
前記選択手段により選択された放送時間帯内において、互いに同一の放送内容を有し、かつ、同一の放送時間帯で複数の放送チャンネルにわたる同一放送番組が存するか否かを判定するか又は互いに同一のジャンルで、かつ、同一の放送時間帯で複数の放送チャンネルにわたる同一ジャンル放送番組が存するか否かを判定する判定手段と、
前記判定手段により前記同一放送番組が存すると判定され、かつ、一又は複数の前記同一放送番組が前記選択手段により選択された全放送時間帯にわたる場合、前記判定手段により前記同一放送番組が存すると判定され、かつ、前記同一放送番組が現在放映中の放送番組である場合若しくは前記判定手段により前記同一放送番組が存すると判定され、かつ、前記同一放送番組を有する各放送チャンネルの放送番組の中で、前記同一放送番組の占める占有率が所定の率より高い場合に、前記同一放送番組を有する各放送チャンネル分の区画を一放送チャンネル分の区画に統合するか、又は前記判定手段により前記同一ジャンル放送番組が存すると判定された場合に、前記同一ジャンル放送番組を有する各放送チャンネル分の区画を一放送チャンネル分の区画に統合する統合手段と、
前記統合手段により各放送チャンネル分の区画を一放送チャンネル分の区画に統合するか又はこれを解除するかを切り替える切替手段と、
前記電子番組表データのうち、前記選択手段により選択された放送時間帯内で、かつ、所定数の放送チャンネル分の区画からなる領域を前記モニタに表示させるとともに、前記統合手段により統合可能な区画が前記領域内に存する場合には、前記統合手段により統合した区画を含む前記領域を前記モニタに表示させ、更に前記切替手段により切り替えた区画が前記領域内に存する場合には、前記切替手段により切り替えた区画を含む前記領域を前記モニタに表示させる表示手段と、
を備えることを特徴とするデジタル放送受信装置。
【請求項２】
番組情報を含むデジタル放送信号から電子番組表データを生成し、この電子番組表データの一部をモニタに表示させるデジタル放送受信装置において、
音声データ、映像データ及び番組情報等が多重化されて送信されたデジタル放送信号を受信する受信手段と、
前記番組情報に基づき、放送時間帯と放送チャンネルとで区画化した表の各区画に放送番組を割り当てた電子番組表データを生成する生成手段と、
前記電子番組表データの中から前記モニタに表示させる放送時間帯を選択する選択手段と、
前記選択手段により選択された放送時間帯内において、互いに同一の放送内容を有し、かつ、同一の放送時間帯で複数の放送チャンネルにわたる同一放送番組が存するか否かを判定する判定手段と、
前記判定手段により前記同一放送番組が存すると判定された場合に、前記同一放送番組を有する各放送チャンネル分の区画を一放送チャンネル分の区画に統合する統合手段と、
前記電子番組表データのうち、前記選択手段により選択された放送時間帯内で、かつ、所定数の放送チャンネル分の区画からなる領域を前記モニタに表示させるとともに、前記統合手段により統合可能な区画が前記領域内に存する場合には、前記統合手段により統合した区画を含む前記領域を前記モニタに表示させる表示手段と、
を備えることを特徴とするデジタル放送受信装置。
【請求項３】
請求項２に記載のデジタル放送受信装置において、
前記統合手段は、
一又は複数の前記同一放送番組が前記選択手段により選択された全放送時間帯にわたる場合に、前記同一放送番組を有する各放送チャンネル分の区画を一放送チャンネル分の区画に統合することを特徴とするデジタル放送受信装置。
【請求項４】
請求項２に記載のデジタル放送受信装置において、
前記統合手段は、
前記同一放送番組が現在放映中の放送番組である場合に、前記同一放送番組を有する各放送チャンネル分の区画を一放送チャンネル分の区画に統合することを特徴とするデジタル放送受信装置。
【請求項５】
請求項２に記載のデジタル放送受信装置において、
前記統合手段は、
前記同一放送番組を有する各放送チャンネルの放送番組の中で、前記同一放送番組の占める占有率が所定の率より高い場合に、前記同一放送番組を有する各放送チャンネル分の区画を一放送チャンネル分の区画に統合することを特徴とするデジタル放送受信装置。
【請求項６】
番組情報を含むデジタル放送信号から電子番組表データを生成し、この電子番組表データの一部をモニタに表示させるデジタル放送受信装置において、
音声データ、映像データ及び番組情報等が多重化されて送信されたデジタル放送信号を受信する受信手段と、
前記番組情報に基づき、放送時間帯と放送チャンネルとで区画化した表の各区画に放送番組を割り当てた電子番組表データを生成する生成手段と、
前記電子番組表データの中から前記モニタに表示させる放送時間帯を選択する選択手段と、
前記選択手段により選択された放送時間帯内において、互いに同一のジャンルで、かつ、同一の放送時間帯で複数の放送チャンネルにわたる同一ジャンル放送番組が存するか否かを判定する判定手段と、
前記判定手段により前記同一ジャンル放送番組が存すると判定された場合に、前記同一ジャンル放送番組を有する各放送チャンネル分の区画を一放送チャンネル分の区画に統合する統合手段と、
前記電子番組表データのうち、前記選択手段により選択された放送時間帯内で、かつ、所定数の放送チャンネル分の区画からなる領域を前記モニタに表示させるとともに、前記統合手段により統合可能な区画が前記領域内に存する場合には、前記統合手段により統合した区画を含む前記領域を前記モニタに表示させる表示手段と、
を備えることを特徴とするデジタル放送受信装置。
【請求項７】
請求項２〜６のいずれか一項に記載のデジタル放送受信装置において、
前記統合手段により各放送チャンネル分の区画を一放送チャンネル分の区画に統合するか又はこれを解除するかを切り替える切替手段を備え、
前記表示手段は、
前記切替手段により切り替えた区画が前記領域内に存する場合には、前記切替手段により切り替えた区画を含む前記領域を前記モニタに表示させることを特徴とするデジタル放送受信装置。
【発明の詳細な説明】
【０００１】
【発明の属する技術分野】
本発明は、例えばＢＳ（Ｂｒｏａｄｃａｓｔｉｎｇ　Ｓａｔｅｌｌｉｔｅ）デジタル放送やＣＳ（Ｃｏｍｍｕｎｉｃａｔｉｏｎ　Ｓａｔｅｌｌｉｔｅ）デジタル放送において、放送番組（以下単に「番組」という。）の選択や録画予約を行うために表示される番組情報案内機能を備えたデジタル放送受信装置に関するものである。
【０００２】
【従来の技術】
近年、デジタル技術の発達により放送の分野でもデジタル信号を用いた放送が可能になり、広く実用化されてきている。従来のアナログ放送では一つの周波数帯域に一つの放送チャンネル（以下単に「チャンネル」という。）しか割り当てることができなかったが、デジタル放送ではＭＰＥＧ２のデジタル圧縮技術を利用することにより、一つの周波数帯域に複数のチャンネルを割り当てることができるようになった。
【０００３】
そのためデジタル放送では多チャンネル化が進み、新聞や雑誌等の印刷物に掲載される番組表では充分な情報を得られなくなった。そこで、デジタル放送受信装置にＥＰＧ（Ｅｌｅｃｔｒｏｎｉｃ　Ｐｒｏｇｒａｍ　Ｇｕｉｄｅ）と呼ばれる電子番組表の機能を備え、ユーザがモニタ上で番組検索及び選択並びに録画予約等を容易に行うことができるようにしている。このＥＰＧ機能とは、それぞれの放送局から伝送される映像データや音声データに多重化された番組情報等のデータを受信装置で受信し、この受信データに基づいて番組表を作成してモニタ上に表示する機能である。現在のデジタル放送では、一般的に映像データ、音声データ、クロックリファレンス（時刻情報）、番組特定情報（ＰＳＩ：Ｐｒｏｇｒａｍ　Ｓｐｅｃｉｆｉｃ　Ｉｎｆｏｒｍａｔｉｏｎ）／番組配列情報（ＳＩ：Ｓｅｒｖｉｃｅ　Ｉｎｆｏｒｍａｔｉｏｎ）等のデジタル信号が多重化されて伝送されるが、このうちのＰＳＩ／ＳＩ信号に基づいて電子番組表が生成される。
【０００４】
モニタに表示された電子番組表の従来例を図７に示した。図７（ａ）に示す通り、各放送局に割り当てられた各チャンネルとそのチャンネルで放送される番組とが、放送時間帯（以下単に「時間帯」という。）毎にモニタに表示される。これにより、ユーザは、各時間帯のどのチャンネルでどのような番組が放送されているか又は放送される予定なのかを把握できるようになっている。
【０００５】
ところで、一のチャンネルのみが割り当てられている放送局は特に問題無いが、図７（ａ）に示す「Ｂ局」のように、複数のチャンネルが割り当てられている放送局においては各チャンネルで同一番組が同一時間帯に放送される場合があり、この場合、各チャンネルに同一番組がそれぞれ表示される。この場合、必ずしも視認性に優れているとは言えず、更にはモニタ上の限られた表示領域を有効に利用しているとは言えない。
【０００６】
このような不都合を解決する技術として、図７（ｂ）に示す「Ｂ局」のように、複数のチャンネルが割り当てられている放送局において各チャンネルで同一番組が同一時間帯で放送される場合に、各チャンネル毎に番組を表示するのではなく、各チャンネルの番組を一つの区画に統合して表示するという技術が開示されている（例えば、特許文献１参照。）。
【０００７】
【特許文献１】
特開２００１−１４５０４３号公報
【０００８】
【発明が解決しようとする課題】
しかしながら、この技術は、電子番組表の表示を視認性に優れたものとすることができるが、モニタ上の限られた表示領域を有効に利用するという問題を解決できない。つまり、同一番組が同一時間帯において複数のチャンネルにわたる場合、その番組の表示領域の面積が大きくなるため、その分だけ他チャンネルの番組情報を参照することができない。
【０００９】
本発明の課題は、モニタ上の限られた表示領域を有効に利用して電子番組表をモニタに表示できるデジタル放送受信装置を提供することである。
【００１０】
【課題を解決するための手段】
本発明は、番組情報を含むデジタル放送信号から電子番組表データを生成し、この電子番組表データの一部をモニタに表示させるデジタル放送受信装置であって、
音声データ、映像データ及び番組情報等が多重化されて送信されたデジタル放送信号を受信する受信手段と、
前記番組情報に基づき、放送時間帯と放送チャンネルとで区画化した表の各区画に放送番組を割り当てた電子番組表データを生成する生成手段と、
前記電子番組表データの中から前記モニタに表示させる放送時間帯を選択する選択手段と、
前記選択手段により選択された放送時間帯内において、互いに同一の放送内容を有し、かつ、同一の放送時間帯で複数の放送チャンネルにわたる同一放送番組が存するか否かを判定するか又は互いに同一のジャンルで、かつ、同一の放送時間帯で複数の放送チャンネルにわたる同一ジャンル放送番組が存するか否かを判定する判定手段と、
前記判定手段により前記同一放送番組が存すると判定され、かつ、一又は複数の前記同一放送番組が前記選択手段により選択された全放送時間帯にわたる場合、前記判定手段により前記同一放送番組が存すると判定され、かつ、前記同一放送番組が現在放映中の放送番組である場合、若しくは前記判定手段により前記同一放送番組が存すると判定され、かつ、前記同一放送番組を有する各放送チャンネルの放送番組の中で、前記同一放送番組の占める占有率が所定の率より高い場合に、前記同一放送番組を有する各放送チャンネル分の区画を一放送チャンネル分の区画に統合するか、又は前記判定手段により前記同一ジャンル放送番組が存すると判定された場合に、前記同一ジャンル放送番組を有する各放送チャンネル分の区画を一放送チャンネル分の区画に統合する統合手段と、
前記統合手段により各放送チャンネル分の区画を一放送チャンネル分の区画に統合するか又はこれを解除するかを切り替える切替手段と、
前記電子番組表データのうち、前記選択手段により選択された放送時間帯内で、かつ、所定数の放送チャンネル分の区画からなる領域を前記モニタに表示させるとともに、前記統合手段により統合可能な区画が前記領域内に存する場合には、前記統合手段により統合した区画を含む前記領域を前記モニタに表示させ、更に前記切替手段により切り替えた区画が前記領域内に存する場合には、前記切替手段により切り替えた区画を含む前記領域を前記モニタに表示させる表示手段と、
を備えることを特徴とする。
【００１１】
本発明によれば、電子番組表データのうちモニタに表示される領域（以下この段落において「表示領域」という。）に同一放送番組又は同一ジャンル放送番組が存する場合、表示領域内において、同一放送番組又は同一ジャンル放送番組を有する各放送チャンネル分の区画を一チャンネル分の区画に統合できる。この場合、同一放送番組又は同一ジャンル放送番組を有するチャンネルに割り当てられる区画が減るから、減った区画の分だけ他チャンネルの放送番組をモニタに表示できる。これにより、モニタ上の限られた表示領域を有効に利用してより多くのチャンネルの放送番組をモニタに表示できる。
【００１２】
また、本発明では、電子番組表データのうちモニタに表示される領域において、同一放送番組又は同一ジャンル放送番組を有する各放送チャンネル分の区画を一チャンネル分の区画に統合するか又はこれを解除する表示形態を実現できる。従い、各放送チャンネル分の区画を一チャンネル分の区画に統合することでより多くのチャンネルの放送番組をモニタに表示でき、逆に、一チャンネル分の区画を各放送チャンネル分の区画へと区画の統合を解除することで同一放送番組又は同一ジャンル放送番組を有する各放送チャンネルの放送番組もモニタに表示できる。
【００１３】
【発明の実施の形態】
以下、本発明のデジタル放送受信装置に係る実施の形態について図面を参照して説明する。ただし、発明の範囲は図示例に限定されない。図１は、本発明のデジタル放送受信装置の実施形態を示すブロック図である。なお、本実施形態では、図１に示すデジタル放送受信装置１をＢＳデジタル放送に適用する例を示す。
【００１４】
図１に示す通り、本実施形態のデジタル放送受信装置１としてのＢＳチューナ１０は、主に、例えば放送電波を受信するＢＳアンテナ１１と、受信した放送電波の中から特定のチャンネルの放送電波を選局するチューナ１２と、受信したデータ信号の復調及び誤りの訂正処理を行う復調部及びＦＥＣ（誤り訂正）部１３と、音声データ、映像データ及び番組情報等が多重化されている受信信号から各データを分離して抽出するデマルチプレクサ１５と、復調されたデジタル放送信号に付加されている不正視聴防止用のスクランブル信号を解除するデスクランブラ１４と、デジタル圧縮された音声データをアナログ音声信号にデコードする音声デコーダ１９と、デジタル圧縮された映像データを展開してＲＧＢ信号にデコードする映像デコーダ２０と、映像デコーダ２０から出力されるＲＧＢ信号を１フレーム分格納するフレームメモリ２１と、ＲＧＢ信号を例えばコンポジットビデオ信号にダウンコンバートする出力手段としての信号変換回路２２と、デマルチプレクサ１５により分離された番組情報（ＳＩ）を復調する番組情報復調部１７と、番組情報等が記録されるメモリ１６と、前記番組情報をもとにモニタ３０上に表示する電子番組表（以下「ＥＰＧ」という。）データを作成するＯＳＤ（Ｏｎ　Ｓｃｒｅｅｎ　Ｄｉｓｐｌａｙ）処理部１８と、各ブロック１２〜２２の各種処理を制御するＣＰＵ２３と、本体前面に設けられた操作パネル及びリモコン等の操作部２４と、を具備する。
【００１５】
本実施形態のＢＳチューナ１では、ユーザによる操作部２４からのチャンネル選択の入力操作に伴いＣＰＵ２３がデスクランブラ１４やデマルチプレクサ１５に制御信号を出力する。そして、該制御信号に基づきデスクランブラ１４やデマルチプレクサ１５で選択チャンネルの信号が抽出され、選択チャンネルのデジタル圧縮信号が音声デコーダ１９及び映像デコーダ２０でデコードされて、該チャンネルの音声信号や映像信号がモニタ３０に出力される。
【００１６】
なお、視聴契約が必要な有料チャンネルに関しては、デスクランブラ１４にて選択チャンネルの信号をデスクランブルする際にメモリ１６から視聴契約情報が読み出され、視聴契約が結ばれている場合だけ正常にデスクランブルが実行され、視聴が可能となる。
【００１７】
また、本実施形態では、ユーザによる操作部２４からの入力操作、例えば、リモコンの番組案内表示ボタンを押すことに伴いＣＰＵ２３がＯＳＤ処理部１８に制御信号を出力し、該制御信号に基づきＯＳＤ処理部１８でメモリ１６に記録された番組情報から所定のＥＰＧデータが生成され、このＥＰＧデータが信号変換回路１７に送信され、現在表示されている番組映像の一部にＥＰＧとして重ねて表示される。そして、再度リモコンの番組案内表示ボタンを押すことにより、ＥＰＧの表示は終了され通常の映像出力に戻る。
【００１８】
ＥＰＧデータを生成するための番組情報は、特に限定されるわけではないが一定の時間間隔（例えば数秒）毎に自動で次の番組情報へ切り替わるように設定されている。すなわち、番組情報は、一定の時間間隔をあけて繰り返し送られるように規定されており、この番組情報が順次メモリ１６に記録される。なお、ユーザがリモコンの番組情報送り用のボタンを操作するなど手動により、もっと早く次の番組情報に切り替えられるように構成してもよい。
【００１９】
ところで、通常は全放送チャンネルの所定時間数分の番組情報が一つのブロックにまとめられており、この番組情報データをもとに全チャンネル分の番組情報又はその一部を含むＥＰＧデータが生成され、生成されたＥＰＧデータの所定領域がモニタ３０上に表示される。ここで、従来は、図７（ａ）を参照して説明したように、複数のチャンネルが割り当てられている放送局においては各チャンネルで同一番組が同一時間帯に放送されることがあり、この場合、同一番組が複数のチャンネルにわたってそれぞれ表示されていた。例えば、図７（ａ）に示す「Ｂ局」の「４Ｃｈ（チャンネル）〜６Ｃｈ」において、「１８時〜１８時３０分」の時間帯では「料理Ｂ１」がそれぞれ表示され、「１８時３０分〜１９時」の時間帯では「天気予報Ｂ２」がそれぞれ表示され、「１９時〜２１時」の時間帯では「映画Ｂ３」がそれぞれ表示され、「２１時〜２２時」の時間帯では「スポーツＢ４」がそれぞれ表示されていた。
【００２０】
なお、ここでいう「番組」とは、所定のタイトルが付されるとともに所定の放送内容が備わったものを示す。従って、例えば、複数の番組が存する場合に、これら複数の番組のタイトル及び放送内容が全く同じであるときにはこれら複数の番組は「同一番組」であり、一方、これら複数の番組のタイトル及び放送内容が互いに異なるときにはこれら複数の番組は「異なる番組」であると解する。
【００２１】
しかしながら、本実施形態のデジタル放送受信装置１では、複数のチャンネルが割り当てられている放送局において同一番組が同一時間帯で各チャンネルにわたって放送される場合に、従来は各チャンネルにそれぞれ表示されていた同一番組が、各時間帯において一の区画として番組毎に表示される。言い替えれば、同一番組が同一時間帯で複数のチャンネルにわたる場合、同一番組を有する各チャンネルに割り当てられた区画が一チャンネル分の区画に統合された状態で表示される。従来の表示形態と比較してみると（図７（ａ）参照）、図２（ａ）に示す通り、「Ｂ局」の「４Ｃｈ〜６Ｃｈ」の各チャンネルが一の区画４１に統合されて表示されるとともに、「１８時〜１８時３０分」の時間帯では「料理Ｂ１」が一の区画４２に統合されて表示され、「１８時３０分〜１９時」の時間帯では「天気予報Ｂ２」が一の区画４３に統合されて表示され、「１９時〜２１時」の時間帯では「映画Ｂ３」が一の区画４４に統合されて表示され、「２１時〜２２時」の時間帯では「スポーツＢ４」が一の区画４５に統合されて表示される。
【００２２】
ここで、図２（ａ）に示した表示形態を実現するためのデジタル放送受信装置１内での各種処理を図３のフローチャートに基づいて具体的に説明する。ＣＰＵ２３は、まず、モニタ３０にＥＰＧを表示させる旨の指示の有無、つまり、ユーザによる操作部２４からの入力操作の有無を判定する（ステップＳ１）。ＥＰＧの表示指示が有る場合には、ＣＰＵ２３は、ＯＳＤ処理部１８に制御信号を出力する。そして、ＯＳＤ処理部１８は、この制御信号に基づきメモリ１６に記録された番組情報から所定のＥＰＧデータを生成する（ステップＳ２）。
【００２３】
その後、ＯＳＤ処理部１８は、生成したＥＰＧデータのうちの表示すべき時間帯領域を選択する（ステップＳ３）。この場合、基本的には、デフォルトの値としての時間帯領域、すなわち、現在放映されている時間帯からそれ以降の時間帯にわたる所定時間範囲の領域が選択されるが、ユーザによる操作部２４からの入力操作に伴い予め設定された時間帯領域が選択されてもよい。
【００２４】
次いで、ＣＰＵ２３により、生成したＥＰＧデータのうちの選択された時間帯領域内に、同一時間帯で複数のチャンネルにわたる同一番組が、選択された時間帯の全ての時間帯にわたって存するか否かが判定される（ステップＳ４）。同一番組が無い場合には、後述のステップＳ６に移行する。一方、同一番組が有る場合には、ＣＰＵ２３は、ＯＳＤ処理部１８に制御信号を出力する。そして、該制御信号に基づきＯＳＤ処理部１８は、これら同一番組を放送する各チャンネルを一の区画に統合するとともにこれら同一番組を一の区画として統合する処理を行う（ステップＳ５）。これにより、例えば、図７（ａ）に示す「Ｂ局」の「４Ｃｈ〜６Ｃｈ」の各チャンネル及び各番組が、図２（ａ）に示す通り、一の区画４１〜４５としてそれぞれ統合して表示されるようになる。
【００２５】
その後、ＣＰＵ２３は、上記ステップＳ３〜ステップＳ５の処理が実行されたＥＰＧデータのうちモニタ３０に表示すべきエリア（以下「表示エリア」という。）を確定する（ステップＳ６）。なお、表示エリアに含まれる時間帯領域は既に上記ステップＳ３の処理により選択されており、ここでは、表示エリアに含まれる所定数のチャンネルが確定される。基本的には、デフォルトの値として所定数のチャンネルに対応する表示エリアが確定されるが、ユーザによる操作部２４からの入力操作に伴い予め設定されたチャンネル数に対応する表示エリアが確定されてもよい。本実施形態では、表示エリアに含まれるチャンネル数は六に確定されており、表示エリアがモニタ３０に表示された際には、図２（ａ）に示す通り、六チャンネル分の領域が表示される。
【００２６】
引き続いて、ＣＰＵ２３は、ＯＳＤ処理部１８及び信号変換回路２２に制御信号を出力して、確定した表示エリアをモニタ３０に表示させる処理を行う（ステップＳ７）。つまり、ステップＳ３からステップＳ６までの処理が実行されたＥＰＧデータが、ＯＳＤ処理部１８から信号変換回路２２に送信され、ステップＳ６の処理で確定された表示エリアが、現在表示されている番組映像の一部にＥＰＧとして重ねて表示される。これにより、モニタ３０に図２（ａ）の画像が表示される。
【００２７】
なお、図２（ａ）では、１８時から２２時までの四時間の時間帯帯域が一時間毎に区画化された状態で横に並べられ、また、複数の放送局が放送局毎に区画化された状態で縦に並べられている。そして、時間帯と放送局とによって区画化された表の各区画に放送される番組が割り当てられている。例えば、「Ａ局」において、「１８時〜１９時」の時間帯には「ニュースＡ１」、「１９時〜２０時」の時間帯には「アニメＡ２」、「２０時〜２１時」の時間帯には「ドラマＡ３」、「２１時〜２２時」の時間帯には「バラエティーＡ４」が、この順で横に並んでいる。
【００２８】
また、図２（ａ）のＥＰＧでは、各放送局を示す区画の左側に点線で仕切られた状態で「−」又は「＋」が表示される。この表示状態においては、「−」は、その放送局に一のチャンネルが割り当てられていることを示し、一方、「＋」は、その放送局に複数のチャンネルが割り当てられていることを示す。そして、ユーザが、リモコンによりモニタ３０上で「＋」表示の放送局の区画に移動フレームを合わせリモコンの確定ボタンを押すこと等により、「＋」の表示部分が「−」に切り替わるとともに、「＋」表示の放送局の区画が、一の区画からその放送局に割り当てられたチャンネル数分の区画に分かれて表示され、更に各チャンネルで放送される番組がチャンネル毎にそれぞれ表示される。なお、この表示状態において、ユーザが上記と同様の操作を行えば、元の表示に戻る。
【００２９】
具体的には、ユーザが図２（ａ）に示す区画４１を操作すれば、図２（ａ）に示す表示状態から図２（ｂ）に示す表示状態に切り替わる。この場合、「Ｂ局」のチャンネルが増えた分だけ他の放送局（「Ｅ局」及び「Ｆ局」）で放送される各番組が表示されなくなる。また、逆に、ユーザが図２（ｂ）に示す区画５１を操作すれば、図２（ｂ）に示す表示状態から図２（ａ）に示す表示状態に切り替わる。この場合、「Ｂ局」のチャンネルが減った分だけ他の放送局（「Ｅ局」及び「Ｆ局」）で放送される各番組が再度表示される。つまり、複数のチャンネルが割り当てられている放送局において、同一時間帯で複数のチャンネルにわたる一又は複数の同一番組が表示エリアの全時間帯にわたっている場合には、その放送局のチャンネル及び番組は、階層的に表示されるようになっている。すなわち、その放送局のチャンネル及び番組の表示は、一チャンネル分の区画に統合されて表示される状態からチャンネル数分の区画に分かれて表示される状態に移行可能な所謂「ツリー構造」を具備した表示形態とされている。以下、上記したような図２（ａ）に示す表示状態から図２（ｂ）に示す表示状態への切替え又はその反対の切替えを単に「表示切替え」という。
【００３０】
そして、上記表示切替えの処理を図３のフローチャートに戻って説明すると、ステップＳ７の処理の後に、ＣＰＵ２３は、ユーザによる操作部２４からの表示切替えの指示の有無を判定する（ステップＳ８）。表示切替えの指示が無い場合には、後述のステップＳ１０の処理に移行する。一方、表示切替えの指示が有る場合には、ＣＰＵ２３は、ＯＳＤ処理部１８に制御信号を出力する。そして、該制御信号に基づきＯＳＤ処理部１８で、モニタ３０上での表示形態を変える表示切替えのための処理が行われ（ステップＳ９）、前述のステップＳ６の処理に戻る。
【００３１】
その後、ＣＰＵ２３は、ユーザによる操作部２４からの表示エリアの変更指示の有無を判定する（ステップＳ１０）。ここでは、現在表示されている表示エリアにおいて表示するチャンネルを変更するか否かが判定される。表示エリア変更の指示が有る場合にはステップＳ６の処理に戻り、一方、表示エリア変更の指示が無い場合には、後述のステップＳ１１の処理に移行する。更に、ＣＰＵ２３は、ユーザによる操作部２４からの表示エリアの変更指示の有無を判定する（ステップＳ１１）。ここでは、現在表示されている表示エリアにおいて表示する時間帯領域を変更するか否かが判定される。表示エリア変更の指示が有る場合にはステップＳ４の処理に戻り、一方、表示エリア変更の指示が無い場合には、後述のステップＳ１２の処理に移行する。
【００３２】
その後、ＣＰＵ２３は、モニタ３０上からＥＰＧの表示を消去させる旨の指示の有無、例えば、ユーザが再度リモコンの番組案内表示ボタンを押すこと等の操作部２４からの入力操作の有無を判定する（ステップＳ１２）。ＥＰＧの消去指示が無い場合には、ステップＳ８の処理に戻る。一方、ＥＰＧの消去指示が有る場合には、ＣＰＵ２３からＯＳＤ処理部１８に制御信号が出力され、該制御信号に基づきＯＳＤ処理部１８でＥＰＧの表示を消去する処理が行われる。この処理によって、図２（ａ）又は図２（ｂ）の表示が、モニタ３０上から消え通常の映像出力に戻る。
【００３３】
以上、本実施形態に係るデジタル放送受信装置１によれば、複数のチャンネルが割り当てられている放送局において、同一時間帯で複数のチャンネルにわたる一又は複数の同一番組が表示エリアの全時間帯にわたっている場合には、その放送局の各チャンネル及び各番組を一チャンネルに割り当てられる領域に統合してモニタ３０に表示できる（図２（ａ）参照）。この場合、その放送局のチャンネル及び番組が減った分だけ他の放送局のチャンネル及び番組を表示するから、モニタ３０上の限られた表示領域を有効に利用してより多くの番組を表示できる。従って、ユーザは、各放送局から提供される番組に関してより多くの情報を一目で取得できる。
【００３４】
なお、本発明は上記の実施形態に限定されることなく、本発明の主旨を逸脱しない範囲において、種々の変更を行ってもよい。例えば、本発明の適用例はＢＳチューナ１０に制限されず、本発明を、デジタル放送チューナ内蔵のテレビジョン放送受信装置やビデオテープレコーダ、ＤＶＤレコーダ、ハードディスクビデオレコーダ等、各種の映像機器にも適用することができる。
【００３５】
また、図２に示す表示形態の変形例として、同一時間帯で複数のチャンネルにわたる同一番組が現在放映中の番組である場合にも、本実施形態で説明したように、その同一番組を有する各チャンネル分の区画を一チャンネル分の区画に統合する表示形態としてもよい。この表示形態を図４に示した。例えば、現在の時刻が１８時１５分である場合に、図４に示す「Ｂ局」の「４Ｃｈ」の「料理Ｂ１」がモニタ３０に放映され他の「５Ｃｈ」及び「６Ｃｈ」でもこれと同一の「料理Ｂ１」が放送されているときには、「料理Ｂ１」以外の番組が異なっていても「Ｂ局」の「４Ｃｈ〜６Ｃｈ」の区画が一チャンネル分の区画に統合される。なお、この場合にも、上記実施形態で説明した表示切替えは上記通り機能する。
【００３６】
また、同一時間帯で複数のチャンネルにわたる同一番組を有する各チャンネルの放送番組の中で、同一番組の占める占有率が所定の率より高い場合にも、本実施形態で説明したように、その同一番組を有する各チャンネル分の区画を一チャンネル分の区画に統合する表示形態としてもよい。ここでいう「同一番組の占める占有率」とは、同一番組以外の番組の番組数に対する同一番組の番組数である。この表示形態を図５に示した。例えば、前記所定の率を５０％とした場合に、「Ｂ局」の「４Ｃｈ〜６Ｃｈ」では「映画Ｂ３」と「スポーツＢ４」とで合計１１番組中６番組分を占有し（図５下表参照）、その占有率が５０％よりも高いため、「映画Ｂ３」及び「スポーツＢ４」以外の番組が異なっていても「Ｂ局」の「４Ｃｈ〜６Ｃｈ」の区画が一チャンネル分の区画に統合される。なお、この場合にも、上記実施形態で説明した表示切替えは上記通り機能する。
【００３７】
また、図２、図４及び図５に示す表示形態では、同一番組が複数チャンネルにわたる場合にこれら同一番組を含む各チャンネル分の区画を一チャンネル分の区画に統合するものとしたが、表示形態はこれに限定されない。例えば、上記実施形態のように各番組の同一性を判定するのではなく、各番組のジャンルの同一性を判定して、同一ジャンルの番組を有する各放送チャンネル分の区画を一放送チャンネル分の区画に統合する表示形態としてもよい。この表示形態を図６に示した。
【００３８】
例えば、「Ｂ局」の「２１時〜２２時」の時間帯において「４Ｃｈ〜６Ｃｈ」の各チャンネルで「スポーツＢ４」、「スポーツＢ８」及び「スポーツＢ１２」がそれぞれ放送される場合（図６下表参照）、これら「スポーツＢ４」、「スポーツＢ８」及び「スポーツＢ１２」は、互いに異なる番組ではあるが、「スポーツ」というジャンルにおいては互いに同一ジャンルの番組であるから、「Ｂ局」の「４Ｃｈ〜６Ｃｈ」の区画が一チャンネル分の区画に統合される（図６上表参照）。
【００３９】
なお、図６の表示形態について、一又は複数の同一ジャンルの番組が表示エリアの全時間帯にわたっている場合に区画が統合される表示形態（図６参照）としてもよいし、同一ジャンルの番組が現在放映中の番組である場合に区画が統合される表示形態としてもよいし、更に同一ジャンルの番組を有する各チャンネルの放送番組の中で、同一ジャンルの番組の占める占有率が所定の率より高い場合に区画が統合される表示形態としてもよい。また、図６の表示形態においても、上記実施形態で説明した表示切替えは上記通り機能する。
【００４０】
【発明の効果】
本発明によれば、電子番組表データのうちモニタに表示される領域（以下この段落において「表示領域」という。）に、同一放送番組又は同一ジャンル放送番組が存する場合、表示領域内において、同一放送番組又は同一ジャンル放送番組を有する各放送チャンネル分の区画を一チャンネル分の区画に統合できる。この場合、同一放送番組又は同一ジャンル放送番組を有するチャンネルに割り当てられる区画が減るから、減った区画の分だけ他チャンネルの放送番組をモニタに表示できる。これにより、モニタ上の限られた表示領域を有効に利用してより多くのチャンネルの放送番組をモニタに表示できる。
【図面の簡単な説明】
【図１】本実施の形態に係るデジタル放送受信装置としてのＢＳチューナの概略構成を示すブロック図である。
【図２】前記ＢＳチューナから表示信号として出力されてモニタに表示される電子番組表を示す画像図である。
【図３】前記電子番組表を表示する際の前記デジタル放送受信装置の処理を説明するためのフローチャートである。
【図４】図２の変形例を示す画像図である。
【図５】図４とは異なる、図２の変形例を示す画像図である。
【図６】図４及び図５とは異なる、図２の変形例を示す画像図である。
【図７】モニタに表示される電子番組表を示す従来の画像図である。
【符号の説明】
１　　　デジタル放送受信装置
１０　　　ＢＳチューナ
１１　　　ＢＳアンテナ（受信手段）
１２　　　チューナ
１３　　　復調部およびＦＥＣ（誤り訂正）部
１４　　　デスクランブラ
１５　　　デマルチプレクサ
１６　　　メモリ
１７　　　番組情報復調部
１８　　　ＯＳＤ処理部（生成手段、統合手段、切替手段）
１９　　　音声デコーダ
２０　　　映像デコーダ
２１　　　フレームメモリ
２２　　　信号変換回路
２３　　　ＣＰＵ（判定手段、表示手段）
２４　　　操作部
３０　　　モニタ
【図１】
2004135166.tif 000003
【図２】
2004135166.tif 000004
【図３】
2004135166.tif 000005
【図４】
2004135166.tif 000006
【図５】
2004135166.tif 000007
【図６】
2004135166.tif 000008
【図７】
2004135166.tif 000009